(57)【要約】      （修正有）【課題】チャック上部の表裏２枚のフイルムを引き裂いた時に、フイルムを指でつかみ易くして、チャックの開封が容易なチャック付き包装袋を提供する。【解決手段】熱融着性の合成樹脂フイルムまたはラミネートフイルムで形成された表裏２枚のフイルム５ａ、５ｂを重ね、その周縁部を熱シールして袋状に形成し、上縁側の内側にチャック２を設けると共に、チャック上方の左側の熱シール部に切欠部を設けたチャック付き包装袋１において、チャック２を構成する、帯状のベース片６ａに突条部７を設けた雄チャック２ａと、帯状のベース片６ｂに突条部７が嵌合する溝条部８を設けた雌チャック２ｂとの一方のベース片６ａを、他方のベース片６ｂよりその上部の高さを低くして段違いに形成したものである。【選択図】図４
0003193859.tif 000002
【実用新案登録請求の範囲】
【請求項１】
熱融着性の合成樹脂フイルムまたはラミネートフイルムで形成された表裏２枚のフイルムを重ね、その周縁部を熱シールして袋状に形成し、上縁側の内側にチャックを設けると共に、チャック上方の左右少なくとも何れかの熱シール部に切欠部を設けたチャック付き包装袋において、前記チャックを構成する、帯状のベース片に突条部を設けた雄チャックと、帯状のベース片に前記突条部が嵌合する溝条部を設けた雌チャックとの何れか一方のベース片を、他方のベース片よりその上部の高さを変えて段違いに形成したことを特徴とするチャック付き包装袋。
【請求項２】
表側のフイルムに設けた雄チャックまたは雌チャックのベース片が、裏側のフイルムに設けた雌チャックまたは雄チャックのベース片より上部を低くして段違いに形成されていることを特徴とする請求項１記載のチャック付き包装袋。
【請求項３】
雄チャックのベース片と、雌チャックのベース片との上部が５ｍｍ以上の段違いに形成されていることを特徴とする請求項１記載のチャック付き包装袋。
【請求項４】
ラミネートフイルムがアルミニウムを蒸着したラミネートフイルムであることを特徴とする請求項１記載のチャック付き包装袋。
【考案の詳細な説明】
【技術分野】
【０００１】
本考案は、開封構造を改良したチャック付き包装袋に関するものである。
【背景技術】
【０００２】
菓子や食品などを包装する袋は、合成樹脂フイルムやラミネートフイルムで形成された表裏２枚のフイルムを重ね、その周縁部を熱シールして袋状に形成し、熱シール部に切欠部を設け、これを横方向に引き裂いて開封するものが一般に使用されている。内容物が一度に食べ切れないものは、内側にチャックを設けたチャック付き包装袋が使用され、チャックを開閉することにより、内容物を反復して取り出すことができるチャック付き包装袋（特許文献１）もある。
【０００３】
しかしながら、従来のチャック付き包装袋１は、図６（Ａ）に示すようにチャック２の上方の左側の熱シール部３に形成した切欠部４を横方向に引き裂いて図６（Ｂ）に示すように開封すると、その断面形状は図７（Ａ）から図７（Ｂ）に示す状態となる。しかしながらこの場合、引き裂いたチャック上部の軟質な表裏のフイルム５ａ、５ｂの隙間が狭く、指で開けにくい問題があった。
【０００４】
この原因について検討したところ、チャック２を構成する帯状のベース片６ａに突条部７を設けた雄チャック２ａと、帯状のベース片６ｂに溝条部８を設けた雌チャック２ｂとは、表裏のフイルム５ａ、５ｂに比べて厚く、可撓性が少ないので、雄チャック２ａと雌チャック２ｂが嵌合してシールされている状態では、図７（Ｂ）に示すように引き裂いた軟質なフイルム５ａ、５ｂはほぼ密着した状態になるためであると考えられる。
【０００５】
特に耐候性や耐湿性に優れたアルミニウムを蒸着したラミネートフイルムは厚く、可撓性が少ないので、チャック２がシールされた状態では、ベース片６ａ、６ｂの上のフイルム５ａ、５ｂの長さにもよるが開封しにくく、ベース片６ａ、６ｂの上まで切り裂いた場合は更に開けにくい問題があった。
【先行技術文献】
【特許文献】
【０００６】
【特許文献１】特開２００５−１５３９９７号公報
【考案の概要】
【考案が解決しようとする課題】
【０００７】
本考案は上記問題を改善し、チャック上部の表裏２枚のフイルムを引き裂いた時に、フイルムを指でつかみ易くして、チャックの開封が容易なチャック付き包装袋を提供するものである。
【課題を解決するための手段】
【０００８】
本考案の請求項１記載のチャック付き包装袋は、熱融着性の合成樹脂フイルムまたはラミネートフイルムで形成された表裏２枚のフイルムを重ね、その周縁部を熱シールして袋状に形成し、上縁側の内側にチャックを設けると共に、チャック上方の左右少なくとも何れかの熱シール部に切欠部を設けたチャック付き包装袋において、前記チャックを構成する、帯状のベース片に突条部を設けた雄チャックと、帯状のベース片に前記突条部が嵌合する溝条部を設けた雌チャックとの何れか一方のベース片を、他方のベース片よりその上部の高さを変えて段違いに形成したことを特徴とするものである。
【０００９】
本考案の請求項２記載のチャック付き包装袋は、請求項１において、表側のフイルムに設けた雄チャックまたは雌チャックのベース片が、裏側のフイルムに設けた雌チャックまたは雄チャックのベース片より上部を低くして段違いに形成されていることを特徴とするものである。
【００１０】
本考案の請求項３記載のチャック付き包装袋は、請求項１において、雄チャックのベース片と、雌チャックのベース片との上部が５ｍｍ以上の段違いに形成されていることを特徴とするものである。
【００１１】
本考案の請求項４記載のチャック付き包装袋は、請求項１において、ラミネートフイルムがアルミニウムを蒸着したラミネートフイルムであることを特徴とするものである。
【考案の効果】
【００１２】
本考案に係る請求項１記載のチャック付き包装袋によれば、チャックを構成する、帯状のベース片に突条部を設けた雄チャックと、帯状のベース片に前記突条部が嵌合する溝条部を設けた雌チャックとの何れか一方のベース片を、他方のベース片よりその上部の高さを変えて段違いに形成することにより、切欠部に沿ってフイルムが裂けると、一方のフイルムは、上部が高いベース片が取付けられているので、この上部より下は裂けず、また上部が低いベースを取付けた他方のフイルムも同様の高さまでしか裂けないので、他方のフイルムは広く残る。このため一方のフイルムは、厚いベース片との距離が短く可撓性は少ないが、他方のフイルムは広く残っているので可撓性があり、この部分を指先で引っ掛けると撓んで広い隙間ができ、指でつかみ易く、チャック２の開封が容易である。
【００１３】
また請求項２記載のチャック付き包装袋によれば、表側のフイルムに設けた雄チャックまたは雌チャックのベース片が、裏側のフイルムに設けた雌チャックまたは雄チャックのベース片より上部を低くして段違いに形成されているので、表側のベース片の上のフイルムが広く残ってつかみ易く、開封が容易である。
【００１４】
また請求項３記載のチャック付き包装袋によれば、雄チャックのベース片と、雌チャックのベース片との上部が５ｍｍ以上の段違いに形成されているので指先でフイルムがつかみ易く、開封が容易で段差は５〜１０ｍｍが望ましい。
【００１５】
また請求項４記載のチャック付き包装袋によれば、耐候性や耐湿性に優れたアルミニウムを蒸着したラミネートフイルムを用いることにより厚く、可撓性が少ないが、一方のベース片が他方のベース片より上部の高さが低く形成されているのでこの部分を指先で引っ掛けると撓んで開封し易い。
【考案を実施するための最良の形態】
【００１６】
以下本考案の実施の一形態を図１ないし図４を参照して詳細に説明する。図において１はチャック付き包装袋を示すもので、熱融着性の合成樹脂フイルムで形成された表裏２枚のフイルム５ａ、５ｂを重ね、その周縁部を熱シールして袋状に形成し、上部左側の熱シール部３にＶ形の切欠部４が形成され、内側に雄チャック２ａと雌チャック２ｂを組合せたチャック２が設けられている。
【００１７】
雄チャック２ａは、図２に示すように帯状のベース片６ａの片面に、その長手方向に沿って、先端が断面円形状の突条部７が形成され、他方の面はフイルム５ａに熱融着されている。また雌チャック２ｂは帯状のベース片６ｂの片面に、その長手方向に沿って、先端に前記突条部７が着脱自在に嵌合する溝を形成した溝条部８が形成され、他方の面はフイルム５ｂに熱融着されている。雄チャック２ａの帯状のベース片６ａの上部の高さは、雌チャック２ｂの帯状のベース片６ａの上部の高さより約５〜１０ｍｍ程低く段違いに形成されている。
【００１８】
上記構成のチャック付き包装袋１は、切欠部４の両側を手でつかんで引き裂くと切欠部４に沿ってフイルム５ａ、５ｂが裂けて図３に示すように上部が分離される。この断面状態は図４に示すように裏側のフイルム５ｂは、雌チャック２ｂの帯状のベース片６ｂの上に少し残るが、表側のフイルム５ａは、雄チャック２ａの帯状のベース片６ａの上に広く残る。
【００１９】
つまり切欠部４に沿ってフイルム５ａ、５ｂは裂けるが、裏側のフイルム５ｂは厚い帯状のベース片６ｂが取付けられているのでこの上部より下は裂けず、また表側のフイルム５ａに取付けた帯状のベース片６ａは、ベース片６ｂより上部が低いので、表側のフイルム５ａは少なくともベース片６ｂの高さまで広く残ることになる。
【００２０】
このため裏側のフイルム５ｂは、厚い帯状のベース片６ｂとの距離が短く可撓性は少ないが、表側のフイルム５ａは、広く残っているので可撓性があり、この部分を指先で引っ掛けると撓んで、裏側のフイルム５ｂとの間に広い隙間ができ、指でつかみ易くなる。従って従来のように、帯状のベース片６ａ、６ｂの上部の高さが同じチャック２のように、フイルム５ａ、５ｂが密着せず開封が容易である。
【００２１】
また耐候性や耐湿性に優れたアルミニウムを蒸着したラミネートフイルム５ａ、５ｂは１枚の合成樹脂フイルムに比べて厚く、可撓性が少ないが、雄チャック２ａのベース片６ａの上部の高さを、雌チャック２ｂのベース片６ａの上部の高さより低く形成しているので、表側のラミネートフイルム５ａは広く残り、この部分を指先で引っ掛けると撓んで開封し易い。
【００２２】
また図５は本考案の他の実施の形態を示すもので、左側の熱シール部３に設けたＶ形の切欠部４を斜め下方に向けて形成したものである。また切欠部４はＶ形に限らず、長方形状や線状のスリットでも良い。また切欠部４は左右の熱シール部３の何れか一方、または両方に形成しても良い。
【００２３】
なお本考案では、雄チャック２ａのベース片６ａと雌チャック２ｂのベース片６ｂとの上部が５ｍｍ以上離れた段違いに形成されているので指でつかみ易いが、これ未満では余り効果はない。また上記説明では雄チャック２ａのベース片６ａを雌チャック２ｂのベース片６ｂより低く形成した場合について示したが、この逆の構造でも良い。
【図面の簡単な説明】
【００２４】
【図１】本考案の実施の一形態によるチャック付き包装袋の正面図である。
【図２】図１のチャック部分を拡大して示す断面図である。
【図３】図１の袋の上部を引き裂いたチャック付き包装袋の正面図である。
【図４】図３のチャック部分を拡大して示す断面図である。
【図５】本考案の他の実施の形態によるチャック付き包装袋の正面図である。
【図６】（Ａ）は従来のチャック付き包装袋を示す正面図、（Ｂ）上部を引き裂いた従来のチャック付き包装袋の正面図である。
【図７】（Ａ）はチャック部分を拡大して示す従来のチャック付き包装袋の断面図、（Ｂ）上部を引き裂いた従来のチャック付き包装袋の断面図である。
【符号の説明】
【００２５】
１    チャック付き包装袋                                    
２    チャック                                              
２ａ  雄チャック                                            
２ｂ  雌チャック        
３    熱シール部      
４    切欠部      
５ａ、５ｂ  フイルム  
６ａ、６ｂ  ベース片
７    突条部    
８    溝条部      
【図１】
0003193859.tif 000003
【図２】
0003193859.tif 000004
【図３】
0003193859.tif 000005
【図４】
0003193859.tif 000006
【図５】
0003193859.tif 000007
【図６】
0003193859.tif 000008
【図７】
0003193859.tif 000009